(57)【要約】【課題】  電位治療器の使用者が、操作方法や設定状況を目と耳で確実に確認できるようにして、使用者の操作ミスをなくす。【解決手段】  電位治療器１の前面パネル２に液晶表示部３を設けて、該液晶表示部３に電位治療の操作手順を表示すると共に、スピーカーを介しての音声による操作指示をするようにすることにより、目と耳で確認しながら治療プログラム設定用のスイッチを押圧して、所定の治療プログラムを設定する。更に、前記設定された治療プログラムに基づいて治療すると、前記液晶表示部３に、正・負の波高値の電圧比率が１：３の出力波形で表示される。【選択図】図２
2006247082.tif 000002
【特許請求の範囲】
【請求項１】
人体に高圧電位および低圧電位を印加して治療を行う電位治療器において、該電位治療器にはスピーカーを備えると共に、前面パネルに液晶表示部と治療プログラム設定部を備えて形成され、
前記治療プログラム設定部は、高圧電位の出力レベルおよび治療時間を設定する高圧電位設定スイッチ群、低圧電位の出力レベルおよび治療時間を設定する低圧電位設定スイッチ群を備え、
更に、前記液晶表示部に表示された電位治療の操作手順と、スピーカーを介しての音声による操作指示により、前記治療プログラム設定用のスイッチを押圧し、所定の治療プログラムを設定するようにしたことを特徴とする電位治療器における操作装置。
【請求項２】
請求項１記載の電位治療器における操作装置において、自動プログラムスイッチ、予約１プログラムスイッチ、予約２プログラムスイッチおよび局部電位設定スイッチ群を備えていることを特徴とする電位治療器における操作装置。
【請求項３】
請求項１または請求項２記載の電位治療器における操作装置において、温度調節ボリュームを備えていることを特徴とする電位治療器における操作装置。
【請求項４】
請求項１〜３のいずれかに記載の電位治療器における操作装置において、前記各スイッチに対応する対応表示の色が変化することを特徴とする電位治療器における操作装置。
【請求項５】
請求項１〜３のいずれかに記載の電位治療器における操作装置において、液晶表示部に正・負の波高値の電圧比率が１：３である出力波形が表示されることを特徴とする電位治療器における操作装置。
【請求項６】
請求項３または請求項５記載の電位治療器における操作装置において、温熱治療を開始すると、出力波形の色が変化することを特徴とする電位治療器における操作装置。
【発明の詳細な説明】
【技術分野】
【０００１】
本発明は、出力側の電極に１０００Ｖを超える高圧電界、あるいは１０００Ｖ以下の低圧電界を発生させて、その電界内に置かれた人体の部位に対して血液中のナトリウムやカルシウムのイオン化量を正常な値に誘引することにより、肩こりや頭痛、慢性便秘、不眠症などの不快な症状を治療する電位治療器において、該電位治療器の前面パネルに液晶表示部と治療プログラム設定部を備え、該液晶表示部に表示された操作手順と、スピーカーを介しての音声による操作指示で、前記治療プログラム設定部のスイッチを押圧することにより、操作ミスをすることなく、電位治療器による所定の治療を受けることができる電位治療器における操作装置に関するものである。
【背景技術】
【０００２】
従来より汎用されている電位治療器には、液晶表示部を備えているものもあるが、該液晶表示で電位治療器の操作手順を表示するという手段は備えておらず、使用者はマニュアルを見ながら前記スイッチを適宜押圧して、所定の電位治療をしていた。
【０００３】
また、電位治療器に関する過去の特許文献を遡及検索すると、下記の特許文献が公知であるが、特許文献１・２はいずれも出力波形に関するもので、電位治療器の操作手順を表示するというような技術思想については全く開示されていない。また、特許文献３は、コントローラの操作部を操作することで切替わる治療器本体の設定を表示部に表示すると共に、スピーカーを通じて使用者に音声で伝えるようにしたものであるが、その操作内容を表示する液晶表示部を備えていない。
【０００４】
【特許文献１】特公昭５１−３２９１５号公報
【特許文献２】特許第２６０９５７４号公報
【特許文献３】実用新案登録第３１０６７４１号公報
【発明の開示】
【発明が解決しようとする課題】
【０００５】
前記従来汎用されている電位治療器、および前記各特許文献に開示されている電位治療器においては、電位治療器の操作手順を示すような液晶表示部を備えていないため、使用者はいちいちマニュアルを見ながら適宜治療プログラム設定用のスイッチを押圧して、所定の電位治療をしていたが、特に使用者は老人が多く、操作に手間取ると共に、操作ミスを犯してしまうという課題があった。
【０００６】
本発明は、前記課題を解決すべくなされたもので、電位治療器の前面パネルに液晶表示部を設けて、該液晶表示部に電位治療の操作手順を表示すると共に、スピーカーを介しての音声による操作指示をするようにすることにより、目と耳で確認しながら治療プログラム設定用のスイッチを押圧して、所定の治療プログラムを設定し、電位治療器の操作ミスを犯すことなく行うことができる電位治療器における操作装置を提供しようとするものである。
【課題を解決するための手段】
【０００７】
本発明は、人体に高圧電位および低圧電位を印加して治療を行う電位治療器において、該電位治療器にはスピーカーを備えると共に、前面パネルに液晶表示部と治療プログラム設定部を備えて形成され、
前記治療プログラム設定部は、高圧電位の出力レベルおよび治療時間を設定する高圧電位設定スイッチ群、低圧の出力レベルおよび治療時間を設定する低圧電位設定スイッチ群等を備え、
更に、前記液晶表示部に表示された電位治療の操作手順と、スピーカーを介しての音声による操作指示により、前記治療プログラム設定用のスイッチを押圧し、所定の治療プログラムを設定するという手段を採用することにより、上記課題を解決した。
【発明の効果】
【０００８】
請求項１の発明によれば、電位治療器の前面パネルに液晶表示部を設けて、該液晶表示部に電位治療の操作手順を表示すると共に、スピーカーを介しての音声による操作指示をするようにすることにより、目と耳で確認しながら治療プログラム設定用のスイッチを押圧して、所定の治療プログラムを設定し、電位治療器の操作ミスを犯すことなく行うことができる。請求項２の発明によれば、生体に電子ペン等を使用してピンポイント的に治療を施すことができる。請求項３の発明によれば、温熱治療を施すことができる。請求項４の発明によれば、設定されたスイッチの色が変化するので、スイッチの設定状況を視認できる。請求項５の発明によれば、電位治療器における正・負の波高値の電圧比率が理想的な１：３で使用されていることを視認できる。請求項６の発明によれば、請求項５の温熱治療が開始されたことを、出力波形の色が変化することにより視認できる。
【発明を実施するための最良の形態】
【０００９】
電位治療器の前面パネルに液晶表示部を設けて、該液晶表示部に電位治療の操作手順を表示すると共に、スピーカーを介しての音声による操作指示をするようにすることにより、治療プログラム設定用のスイッチを押圧して、所定の治療プログラムを設定する。
【実施例】
【００１０】
本発明の実施例を図面に基づいて詳細に説明する。本発明電位治療器における操作装置は、前記従来汎用の電位治療器、および前記各特許文献に記載された電位治療器のいずれにも設置することができるが、図１に記載の回路構成を有する電位治療器に、本発明操作装置を設置したものを代表的な例として説明する。
【００１１】
図１は、本発明操作装置を設置する電位治療器の回路構成を示す回路図である。図１において、本実施例における電位治療器は、ＡＣ１００〔Ｖ〕を電源として昇圧する高圧昇圧トランス（Ｔ）と、高圧昇圧トランスＴの一方のタップ（ｔ１）にアノードが接続されたダイオード（Ｄ１）と、ダイオード（Ｄ１）のカソードに一方の端子が接続された保護用インピーダンス素子（Ｒ１）と、前記高圧昇圧トランスＴの他方のタップ（ｔ２）にカソードが接続されたダイオード（Ｄ２）と、ダイオード（Ｄ２）のアノードと保護用インピーダンス素子（Ｒ１）の他方の端子との接続点に一方の端子が接続された保護用インピーダンス素子（Ｒ２）と、前記接続点にアノードが接続され保護用インピーダンス素子（Ｒ２）と並列接続されたダイオード（Ｄ３）と、保護用インピーダンス素子（Ｒ２）の他方の端子とダイオード（Ｄ３）のカソードとの接続点として成る出力端子（ＥＯ）とを備える。
【００１２】
本実施例では、電源を、ＡＣ１００〔Ｖ〕としたが、電源として任意の交流電源を使用して構成することができる。また、高圧昇圧トランス（Ｔ）のタップ（ｔ１）からは３０００〔Ｖ〕の電位が取り出され、タップ（ｔ２）からは９０００〔Ｖ〕の電位が取り出されるものとしているが、タップ（ｔ２）の電位（瞬時値の絶対値）がタップ（ｔ１）の電位（瞬時値の絶対値）に比べて常に高いものでありさえすればよく、この条件で、タップ（ｔ１），（ｔ２）の電位は、それぞれ任意の電位とすることが可能である。
【００１３】
本実施例における電位治療器の動作について説明する。高圧昇圧トランス（Ｔ）の出力側のタップ（ｔｌ）は、ＡＣ・３０００〔Ｖ〕を出力するが、該タップ（ｔｌ）にはプラス側の電流のみを通すように、ダイオード（Ｄ１）のアノード側が接続されており、更に、該ダイオード（Ｄ１）と直列に、出力の電流を制限するための数ＭΩの保護用インピーダンス素子（Ｒ１）が接続されている。前記保護用インピーダンス素子（Ｒ１）とダイオード（Ｄ１）との直列接続回路から出力されるプラス側の半波（電流成分）は、更に、ダイオード（Ｄ３）を介して出力端子（ＥＯ）に導かれる。
【００１４】
また、高圧昇圧トランス（Ｔ）の出力側のタップ（ｔ２）は、ＡＣ・９０００〔Ｖ〕を出力するが、該タップ（ｔ２）にはマイナス側の電流のみを流すように、ダイオード（Ｄ２）のカソード側が接続されており、且つダイオード（Ｄ２）のアノード側は、ダイオード（Ｄ１）と保護用インピーダンス素子（Ｒ１）とから成る前記直列接続回路の出力側と接続されている。この接続点のマイナス電位は、更に出力電流を制限するための数ＭΩの保護用インピーダンス素子（Ｒ２）を介して出力端子（ＥＯ）に導かれる。
【００１５】
ここで、保護用インピーダンス素子（Ｒ１）のインピーダンスと、保護用インピーダンス素子（Ｒ２）のインピーダンスとを同じ値にすれば、負荷環境、例えば人体の体重・身長・性別などの違い、家屋の種類や床材料の違い、電床のサイズや治療人数の違いなどにより負荷がどのように変動しても、マイナス側の波形（電流成分）の減衰率と、プラス側の波形（電流成分）の減衰率とを等しくすることができる。
【００１６】
従って、前記のように構成することにより、負荷の変動がある場合にも、負荷には拘らず、マイナス側の波形（電流成分）の最大値と、プラス側の波形（電流成分）の最大値との比率を、出力側のタップ（ｔｌ）の電圧（瞬時値）と、出力側のタップ（ｔ２）の電圧（瞬時値）との電圧比と同様に、電位治療器にとって理想的な比率、例えば正・負の波高値の電圧比率が１：３の一定値に維持することができる。
【００１７】
図２は、前記回路構成を備えた電位治療器１の前面パネル２の正面図である。そして、前記前面パネル２の上方部に、液晶表示部３と電源スイッチ４を備え、且つ前記前面パネル２の下方部に電位治療のプログラムを設定する治療プログラム設定部５を備えている。なお、前記電位治療器１には、図示されていないスピーカーを備えている。
【００１８】
前記治療プログラム設定部５は、高圧電位の出力レベル、治療時間を設定する高圧電位設定スイッチ群６、低圧電位の出力レベルおよび治療時間を設定する低圧電位設定スイッチ群７、生体にピンポイント的に治療を施すときに使用する電子ペンの電位の出力レベルを設定する局部電位設定スイッチ群８、および温熱治療をするときの出力レベルを設定する温度調節ボリューム９を備えて形成されている。
【００１９】
前記高圧電位設定スイッチ群６は、高圧電位設定起動スイッチ１０と、例えば、５５００Ｖ、７５００Ｖ、９０００Ｖ等のように希望する高圧電位の出力レベルを「低」・「中」・「高」とした出力レベルスイッチ１１ａ〜１１ｃと、例えば、「３０分」、「４５分」、「６０分」等のように希望する治療時間を設定するタイマースイッチ１２ａ〜１２ｃと、電位治療器の工場出荷時に予め設定された出力レベルおよび治療時間で治療する自動プログラムスイッチ１３ａと、使用者が前回治療において使用した高圧電位出力を予約１プログラムとして予約設定することにより、所定の治療をすることができる予約１プログラムスイッチ１３ｂと、電位治療器の工場出荷時に前記自動プログラムとは異なる出力レベルおよび治療時間で治療するよう予め設定されたプログラムを予約２プログラムとして、所定の治療をすることができる予約２プログラムスイッチ１３ｃとにより形成されている。
【００２０】
前記低圧電位設定スイッチ群７は、「おやすみ」設定起動スイッチ１４と、例えば、６００Ｖ、８００Ｖ、１０００Ｖ等のように希望する低圧電位の出力レベルを「低」・「中」・「高」とした出力レベルスイッチ１５ａ〜１５ｃと、例えば、「３時間」、「５時間」、「８時間」等のように希望する治療時間を設定するタイマースイッチ１６ａ〜１６ｃとにより形成されている。なお、図２においては、前記のように低圧電位設定起動スイッチ１４を、例えば就寝時に使用するものとして、「おやすみ」と表示しているが、この低圧電位治療は、就寝時以外でも行うことができる。
【００２１】
前記局部電位設定スイッチ群８は、電子ペン設定起動スイッチ１７と、例えば、５００Ｖ、１０００Ｖ、１５００Ｖ等のように希望する電位の出力レベルを「低」・「中」・「高」とした出力レベルスイッチ１８ａ〜１８ｃとにより形成されている。
【００２２】
また、温度調節ボリューム９は、温熱治療の開始、停止のＯＮ・ＯＦＦスイッチを備え、該温度調節ボリューム９を時計方向に回動させるとスイッチＯＮされ、時計方向に回動させることにより、温度は高温になるように設定され、且つ反時計方向に回動させると温度は低温となり、反時計方向へ回動させると最終的にはＯＦＦされるよう形成されている。
【００２３】
なお、図２において、１９は、図示していない電床マットの接続プラグを接続する全身出力口で、また、２０は、図示していない電子ペンの接続プラグを接続する局部出力口である。
【００２４】
図３は、本発明操作装置を構成する液晶・音声合成ブロック図である。制御回路は、
電源回路、およびＳＷ入力回路を備えたＳＷ制御回路に接続されている。また、前記制御回路は、ＬＥＤ制御回路に接続され、該制御回路およびＬＥＤ制御回路の出力信号により、文字や数字の表示手段としてのＬＥＤを制御する。
【００２５】
更に、前記制御回路は、ＬＣＤコントローラに接続され、該制御回路およびＬＣＤコントローラの出力信号により、ＬＣＤモジュールを制御すると共に、前記制御回路に接続されたバックライトインバータおよびコントラスト調整回路により、ＬＣＤモジュールの表示面の明暗を調整する。
【００２６】
また更に、前記制御回路は、音声合成ＩＣと音量調整回路およびアンプを介してスピーカーに接続され、該制御回路の出力信号により、所定の音声をスピーカーから出力するよう構成されている。
【００２７】
図４は、本発明装置を用いた高圧電位治療を、９０００Ｖの高圧電位で６０分間行う場合の液晶画面と音声内容を示すフローチャートである。先ず、電源スイッチ４をＯＮすると、液晶表示部３に初期画面が表示される（通常、機器名等が表示されるが、図４においてはその表示を省略している）（ステップ１）。この時、音声は出力されない。その後、自動的にスタート画面が表示され（ステップ２）、「治療方法をお選びください」という音声が出力される。そして、ステップ２のスタート画面では、「治療方法をお選びください」と液晶表示部３に表示されると共に、治療方法として、「高圧電位」・「おやすみ」・「電子ペン」という文字が表示され、更に前記各文字の下部に、治療プログラム設定部５の高圧電位設定起動スイッチ１０、「おやすみ」設定起動スイッチ１４および電子ペン設定起動スイッチ１７を表す、例えば「緑色」・「青色」・「橙色」と同色にしたスイッチ対応表示がなされる。
【００２８】
前記ステップ２の音声指示により、使用者が治療プログラム設定部５の高圧電位設定起動スイッチ１０を押すと、「ピッ」という音声が出力されると共に、液晶表示部３の「高圧電位」の表示の下方のスイッチ対応表示が、他の色、例えば「赤色」に変化して、「高圧電位」が選択されたことを視認できる（ステップ３）。
【００２９】
前記ステップ３において、「高圧電位」が選択されると、液晶表示部３の画面が切り換わり、「高圧電位治療です。治療の種類をお選びください」という音声が出力されると共に、前記液晶表示部３に同文の文字表示がなされ、更に、該文字表示の下方に高圧電位の出力レベルを示す「低」・「中」・「高」と、治療方法を示す「自動プログラム」・「予約１」・「予約２」の文字表示がなされると共に、該各文字表示の下方に、前記治療プログラム設定部５のスイッチの色と同色にしたスイッチ対応表示がなされる（ステップ４）。
【００３０】
前記ステップ４の音声指示に従い、「高圧電位」の出力レベルの「高」を選択して、前記治療プログラム設定部５の出力レベルスイッチ１１ｃを押圧すると、「ピッ」という音声と共に、液晶表示部３の「高」のスイッチ対応表示の色が、他の色、例えば「赤色」に変化して、「高」が選択されたことが視認できる（ステップ５）。
【００３１】
前記ステップ５において、「高」を選択すると、液晶表示部３の画面が切り換わり、「高圧電位９０００Ｖです。治療時間をお選びください」という音声が出力されると共に、前記液晶表示部３に同文の文字表示がなされ、更に該文字表示の下方に治療時間を示す「３０分」・「４５分」・「６０分」の文字表示がなされると共に、該各文字表示の下方に、前記治療プログラム設定部５のタイマースイッチ１２ａ〜１２ｃの色と同色にしたスイッチ対応表示がなされる（ステップ６）。
【００３２】
前記ステップ６の音声指示により、使用者が治療プログラム設定部５の「６０分」のタイマースイッチ１２ｃを押圧すると、「ピッ」という音と、「高圧電位９０００Ｖ、６０分です」という音声が出力されると共に、液晶表示部３の「６０分」の文字表示の下方のスイッチ対応表示が他の色、例えば「赤色」に変化して、「６０分」が選択されたことを視認できる（ステップ７）。
【００３３】
前記ステップ７において、「６０分」が選択されると、液晶表示部３は切り換わり、「治療がはじまりました」という音声が出力されると共に、前記液晶表示部３に同文の文字表示がなされて、高圧電位治療が開始されたことを視認できる（ステップ８）。
【００３４】
前記ステップ８において、高圧電位治療が開始されると、液晶表示部３は切り換わり、該液晶表示部３に、高圧電位の出力波形が表示されると共に、「温熱を同時に使用できます」という音声が出力され、且つ前記液晶表示部３に同文の文字表示がなされ、更に該液晶表示部３に、視認用として、「高圧電位９０００Ｖ」、「治療時間６０分」という文字表示がなされると共に、「経過時間」が経時的に表示される（ステップ９）。
【００３５】
前記ステップ９において設定された出力レベルおよび治療時間による高圧電位治療がなされて、タイムアップすると、自動的に電源がＯＦＦされ、高圧電位治療は終了する。なお、タイムアップ前に手動で電源をＯＦＦして、強制的に高圧電位治療を終了してもよい。その場合、治療を終了した旨の音声が出力される。
【００３６】
また、前記ステップ９において、「温熱を同時に使用できます」という音声が出力され、且つ液晶表示部３に同文の文字表示がなされたとき、使用者が治療プログラム設定部５の温度調節ボリューム９を回動してスイッチＯＮし、適宜出力レベルまで回動して設定すると、「温熱がはいりました」という音声が出力されると共に、前記液晶表示部３に同文の文字表示がなされ、更に、高圧電位の出力波形を示す色が、特に限定する必要はないが、好ましくは、熱を示す「赤色」に変化して温熱治療中であることを視認することができる（ステップ１０）。ステップ１０においても、ステップ９と同様の「高圧電位９０００Ｖ」、「治療時間６０分」、「経過時間」という文字表示がなされる。
【００３７】
図５は、本発明装置を用いた電位治療器の工場出荷時に予め設定された出力レベルおよび治療時間で治療する自動プログラムで行う場合の液晶画面と音声内容を示すフローチャートである。前記自動プログラムは、図６に示す出力レベルおよび治療時間として説明する。先ず、図５のフローチャートにおけるステップ１１からステップ１４までは、前記図４のステップ１からステップ４までと同一であるので説明を省略する。
【００３８】
前記ステップ１４の音声指示に従い、「自動プログラム」を選択して、前記治療プログラム設定部５の自動プログラムスイッチ１３ａを押圧すると、「ピッ」という音と、「高圧電位自動プログラムです」という音声が出力されると共に、液晶表示部３の「自動プログラム」のスイッチ対応表示の色が、他の色、例えば「赤色」に変化して、「自動プログラム」が選択されたことを視認できる（ステップ１５）。
【００３９】
前記ステップ１５において、「自動プログラム」が選択されると、液晶表示部３は切り換わり、「治療がはじまりました」という音声が出力されると共に、前記液晶表示部３に同文の文字表示がなされ、高圧電位治療が開始されたことを視認できる（ステップ１６）。
【００４０】
前記ステップ１６において、自動プログラムによる高圧電位治療が開始されると、液晶表示部３は切り換わり、該液晶表示部３に、高圧電位の出力波形が表示されると共に、「温熱を同時に使用できます」という音声が出力され、且つ前記液晶表示部３に同文の文字表示がなされ、更に該液晶表示部３に、視認用として、現在出力中の「高圧電位５５００Ｖ」、「治療時間６０分」という文字表示がなされると共に、「経過時間」が経時的に表示される（ステップ１７）。なお、前記「高圧電位５５００Ｖ」は、時間経過と共に、図６に示すように、「７５００Ｖ」、「９０００Ｖ」、「７５００Ｖ」、「５５００Ｖ」と出力レベルが変更表示される。
【００４１】
前記ステップ１７において設定された出力レベルおよび治療時間による高圧電位治療がなされて、タイムアップすると、自動的に電源がＯＦＦされ、高圧電位治療は終了する。なお、タイムアップ前に手動で電源をＯＦＦして、強制的に高圧電位治療を終了してもよい。その場合、治療を終了した旨の音声が出力される。
【００４２】
また、前記ステップ１７において、「温熱を同時に使用できます」という音声が出力され、且つ液晶表示部３に同文の文字表示がなされたとき、使用者が治療プログラム設定部５の温度調節ボリューム９を回動してスイッチＯＮし、適宜出力レベルまで回動して設定すると、「温熱がはいりました」という音声が出力されると共に、前記液晶表示部３に同文の文字表示がなされ、更に、高圧電位の出力波形を示す色が、特に限定する必要はないが、好ましくは、熱を示す「赤色」に変化して温熱治療中であることを視認することができる（ステップ１８）。ステップ１８においても、ステップ１７と同様の「高圧電位５５００Ｖ」、「治療時間６０分」、「経過時間」という文字表示がなされる。
【００４３】
図７は、本発明装置を用いて、前回治療において７５００Ｖで使用した治療プログラムを、「予約１」として高圧電位治療を行う場合の液晶画面と音声内容を示すフローチャートである。前記「予約１」のプログラムは、図８に示す出力レベル(７５００Ｖ)および治療時間として説明する。なお、前記「予約１」のプログラムは、出力レベルを手動で自由に設定変更することができる。先ず、図７のフローチャートにおけるステップ２１からステップ２４までは、前記図４のステップ１からステップ４までと同一であるので説明を省略する。
【００４４】
前記ステップ２４の音声指示に従い、「予約１」を選択して、前記治療プログラム設定部５の予約１プログラムスイッチ１３ｂを押圧すると、「ピッ」という音と、「高圧電位予約１プログラム、７５００Ｖです」という音声が出力されると共に、液晶表示部３の「予約１」のスイッチ対応表示の色が、他の色、例えば「赤色」に変化して、「予約１」が選択されたことを視認できる（ステップ２５）。
【００４５】
前記ステップ２５において、「予約１」が選択されると、液晶表示部３は切り換わり、「治療がはじまりました」という音声が出力されると共に、前記液晶表示部３に同文の文字表示がなされ、「予約１」のプログラムによる高圧電位治療が開始されたことを視認できる（ステップ２６）。
【００４６】
前記ステップ２６において、「予約１」のプログラムによる高圧電位治療が開始されると、液晶表示部３は切り換わり、該液晶表示部３に、高圧電位の出力波形が表示されると共に、「温熱を同時に使用できます」という音声が出力され、且つ前記液晶表示部３に同文の文字表示がなされ、更に該液晶表示部３に、視認用として、現在出力中の「高圧電位７５００Ｖ」、「治療時間６０分」という文字表示がなされると共に、「経過時間」が経時的に表示される（ステップ２７）。
【００４７】
前記ステップ２７において設定された出力レベルおよび治療時間による高圧電位治療がなされて、タイムアップすると、自動的に電源がＯＦＦされ、高圧電位治療は終了する。なお、タイムアップ前に手動で電源をＯＦＦして、強制的に高圧電位治療を終了してもよい。その場合、治療を終了した旨の音声が出力される。
【００４８】
また、前記ステップ２７において、「温熱を同時に使用できます」という音声が出力され、且つ液晶表示部３に同文の文字表示がなされたとき、使用者が治療プログラム設定部５の温度調節ボリューム９を回動してスイッチＯＮし、適宜出力レベルまで回動して設定すると、「温熱がはいりました」という音声が出力されると共に、前記液晶表示部３に同文の文字表示がなされ、更に、高圧電位の出力波形を示す色が、特に限定する必要はないが、好ましくは、熱を示す「赤色」に変化して温熱治療中であることを視認することができる（ステップ２８）。ステップ２８においても、ステップ２７と同様の「高圧電位７５００Ｖ」、「治療時間６０分」、「経過時間」という文字表示がなされる。
【００４９】
図９は、本発明装置を用いた電位治療器の工場出荷時に、前記「自動プログラム」とは異なる出力レベルおよび治療時間で治療するよう予め設定されたプログラムを、「予約２」として高圧電位治療を行う場合の液晶画面と音声内容を示すフローチャートである。前記「予約２」のプログラムは、図１０に示す出力レベルおよび治療時間として説明する。先ず、図９のフローチャートにおけるステップ３１からステップ３４までは、前記図４のステップ１からステップ４までと同一であるので説明を省略する。
【００５０】
前記ステップ３４の音声指示に従い、「予約２」を選択して、前記治療プログラム設定部５の予約２プログラムスイッチ１３ｃを押圧すると、「ピッ」という音と、「高圧電位予約２プログラムです」という音声が出力されると共に、液晶表示部３の「予約２」のスイッチ対応表示の色が、他の色、例えば「赤色」に変化して、「予約２」が選択されたことを視認できる（ステップ３５）。
【００５１】
前記ステップ３５において、「予約２」が選択されると、液晶表示部３は切り換わり、「治療がはじまりました」という音声が出力されると共に、前記液晶表示部３に同文の文字表示がなされ、「予約２」のプログラムによる高圧電位治療が開始されたことを視認できる（ステップ３６）。
【００５２】
前記ステップ３６において、自動プログラムによる高圧電位治療が開始されると、液晶表示部３は切り換わり、該液晶表示部３に、高圧電位の出力波形が表示されると共に、「温熱を同時に使用できます」という音声が出力され、且つ前記液晶表示部３に同文の文字表示がなされ、更に該液晶表示部３に、視認用として、現在出力中の「高圧電位５５００Ｖ」、「治療時間６０分」という文字表示がなされると共に、「経過時間」が経時的に表示される（ステップ３７）。なお、前記「高圧電位５５００Ｖ」は、時間経過と共に、図１０に示すように、「７５００Ｖ」、「９０００Ｖ」、「５５００Ｖ」、「７５００Ｖ」、「９０００Ｖ」と出力レベルが変更表示される。
【００５３】
前記ステップ３７において設定された出力レベルおよび治療時間による高圧電位治療がなされて、タイムアップすると、自動的に電源がＯＦＦされ、高圧電位治療は終了する。なお、タイムアップ前に手動で電源をＯＦＦして、強制的に高圧電位治療を終了してもよい。その場合、治療を終了した旨の音声が出力される。
【００５４】
また、前記ステップ３７において、「温熱を同時に使用できます」という音声が出力され、且つ液晶表示部３に同文の文字表示がなされたとき、使用者が治療プログラム設定部５の温度調節ボリューム９を回動してスイッチＯＮし、適宜出力レベルまで回動して設定すると、「温熱がはいりました」という音声が出力されると共に、前記液晶表示部３に同文の文字表示がなされ、更に、高圧電位の出力波形を示す色が、特に限定する必要はないが、好ましくは、熱を示す「赤色」に変化して温熱治療中であることを視認することができる（ステップ３８）。ステップ３８においても、ステップ３７と同様の「高圧電位５５００Ｖ」、「治療時間６０分」、「経過時間」という文字表示がなされる。
【００５５】
図１１は、本発明装置を用いて、「おやすみ」を使用して低圧電位治療を行う場合の液晶画面と音声内容を示すフローチャートである。先ず、図１１のフローチャートにおけるステップ４１からステップ４２までは、前記図４のステップ１からステップ２までと同一であるので説明を省略する。
【００５６】
ステップ４２の音声指示に従い、「おやすみ」を選択して、前記治療プログラム設定部５のおやすみ設定起動スイッチ１４を押圧すると、「ピッ」という音が出力されると共に、液晶表示部３の「おやすみ」のスイッチ対応表示の色が、他の色、例えば「赤色」に変化して、「おやすみ」が選択されたことを視認できる（ステップ４３）。
【００５７】
前記ステップ４３において、「おやすみ」が選択されると、液晶表示部３は切り換わり、「おやすみ治療です。治療の種類をお選び下さい」という音声が出力されると共に、前記液晶表示部３に同文の文字表示がなされ、更に、該文字表示の下方に高圧電位の出力レベルを示す「低」・「中」・「高」の文字表示がなされると共に、該各文字表示の下方に、前記治療プログラム設定部５のスイッチの色と同色にしたスイッチ対応表示がなされる（ステップ４４）。
【００５８】
前記ステップ４４の音声指示に従い、「おやすみ」の出力レベルの「高」を選択して、前記治療プログラム設定部５の出力レベルスイッチ１５ｃを押圧すると、「ピッ」という音声と共に、液晶表示部３の「高」のスイッチ対応表示の色が、他の色、例えば「赤色」に変化して、「高」が選択されたことが視認できる（ステップ４５）。
【００５９】
前記ステップ４５において、「高」を選択すると、液晶表示部３の画面が切り換わり、「おやすみ１０００Ｖです。治療時間をお選びください」という音声が出力されると共に、前記液晶表示部３に同文の文字表示がなされ、更に、該文字表示の下方に治療時間を示す「３時間」・「５時間」・「８時間」の文字表示がなされると共に、該各文字表示の下方に、前記治療プログラム設定部５のタイマースイッチ１６ａ〜１６ｃの色と同色にしたスイッチ対応表示がなされる（ステップ４６）。
【００６０】
前記ステップ４６の音声指示により、使用者が治療プログラム設定部５の「８時間」のタイマースイッチ１６ｃを押圧すると、「ピッ」という音と、「おやすみ１０００Ｖ、８時間です」という音声が出力されると共に、液晶表示部３の「８時間」の文字表示の下方のスイッチ対応表示が他の色、例えば「赤色」に変化して、「８時間」が選択されたことを視認できる（ステップ４７）。
【００６１】
前記ステップ４７において、「８時間」が選択されると、液晶表示部３は切り換わり、「治療がはじまりました」という音声が出力されると共に、前記液晶表示部３に同文の文字表示がなされて、低圧電位治療が開始されたことを視認できる（ステップ４８）。
【００６２】
前記ステップ４８において、低圧電位治療が開始されると、液晶表示部３は切り換わり、該液晶表示部３に、低圧電位の出力波形が表示されると共に、「温熱を同時に使用できます」という音声が出力され、且つ前記液晶表示部３に同文の文字表示がなされ、更に該液晶表示部３に、視認用として、「おやすみ１０００Ｖ」、「治療時間８時間」という文字表示がなされると共に、「経過時間」が経時的に表示される（ステップ４９）。
【００６３】
前記ステップ４９において設定された出力レベルおよび治療時間による低圧電位治療がなされて、タイムアップすると、自動的に電源がＯＦＦされ、低圧電位治療は終了する。なお、タイムアップ前に手動で電源をＯＦＦして、強制的に低圧電位治療を終了してもよい。その場合、治療を終了した旨の音声が出力される。
【００６４】
また、前記ステップ４９において、「温熱を同時に使用できます」という音声が出力され、且つ液晶表示部３に同文の文字表示がなされたとき、使用者が治療プログラム設定部５の温度調節ボリューム９を回動してスイッチＯＮし、適宜出力レベルまで回動して設定すると、「温熱がはいりました」という音声が出力されると共に、前記液晶表示部３に同文の文字表示がなされ、更に、低圧電位の出力波形を示す色が、特に限定する必要はないが、好ましくは、熱を示す「赤色」に変化して温熱治療中であることを視認することができる（ステップ５０）。ステップ５０においても、ステップ４９と同様の「おやすみ１０００Ｖ」、「治療時間８時間」、「経過時間」という文字表示がなされる。
【００６５】
図１２は、本発明装置を用いて、電子ペンを使用してピンポイント的に治療を行う場合の液晶画面と音声内容を示すフローチャートである。先ず、図１２のフローチャートにおけるステップ５１からステップ５２までは、前記図４のステップ１からステップ２までと同一であるので説明を省略する。
【００６６】
ステップ５２の音声指示に従い、「電子ペン」を選択して、前記治療プログラム設定部５の電子ペン設定起動スイッチ１７を押圧すると、「ピッ」という音が出力されると共に、液晶表示部３の「電子ペン」のスイッチ対応表示の色が、他の色、例えば「赤色」に変化して、「電子ペン」が選択されたことを視認できる（ステップ５３）。
【００６７】
前記ステップ５３において、「電子ペン」が選択されると、液晶表示部３は切り換わり、「電子ペン治療です。治療の種類をお選び下さい」という音声が出力されると共に、前記液晶表示部３に同文の文字表示がなされ、更に、該文字表示の下方に電位の出力レベルを示す「低」・「中」・「高」の文字表示がなされると共に、該各文字表示の下方に、前記治療プログラム設定部５のスイッチの色と同色にしたスイッチ対応表示がなされる（ステップ５４）。
【００６８】
前記ステップ５４の音声指示に従い、「電子ペン」の出力レベルの「高」を選択して、前記治療プログラム設定部５の出力レベルスイッチ１８ｃを押圧すると、「ピッ」という音と「電子ペン１５００Ｖです」という音声が出力されると共に、液晶表示部３の「高」のスイッチ対応表示の色が、他の色、例えば「赤色」に変化して、「高」が選択されたことが視認できる（ステップ５５）。
【００６９】
前記ステップ５５において、「高」が選択されると、液晶表示部３は切り換わり、「治療がはじまりました」という音声が出力されると共に、前記液晶表示部３に同文の文字表示がなされて、電子ペンに１５００Ｖの高電圧が出力されていることを視認できる（ステップ５６）。
【００７０】
前記ステップ５６の文字表示がなされると、電子ペンによる高圧電位治療が可能となるため、直ちに液晶表示部３は切り換わり、「電子ペン出力中」という文字表示がなされると共に、「電子ペン１５００Ｖ」、「治療時間６０分」という文字表示がなされ、更に「経過時間」が経時的に表示される（ステップ５７）。
【００７１】
前記設定された治療時間のタイムアップにより、自動的に電源がＯＦＦされ、電子ペンによる治療は終了する。なお、タイムアップ前に手動で電源をＯＦＦして、強制的に電子ペンによる治療を終了してもよい。その場合、治療を終了した旨の音声が出力される。
【図面の簡単な説明】
【００７２】
【図１】本発明電位治療器における操作装置を設定する電位治療器の代表的な回路構成を示す図である。
【図２】本発明電位治療器における操作装置を備えた電位治療器の正面図である。
【図３】本発明電位治療器における操作装置を構成する液晶・音声合成ブロック図である。
【図４】本発明電位治療器における操作装置を用いて、９０００Ｖの高圧電位で６０分間高圧電位治療を行う場合の液晶画面と音声による内容を示すフローチャートである。
【図５】本発明電位治療器における操作装置を用いて、電位治療器に予め設定された出力レベルおよび治療時間で治療する自動プログラムで高圧電位治療を行う場合の液晶画面と音声内容を示すフローチャートである。
【図６】図５の自動プログラムの内容を示す図である。
【図７】本発明電位治療器における操作装置を用いて、前回治療において使用した高圧電位出力を予約１プログラムとして、高圧電位治療を行う場合の液晶画面と音声内容を示す図である。
【図８】図７の治療プログラムの内容を示す図である。
【図９】本発明電位治療器における操作装置を用いて、電位治療器に予め設定された出力レベルおよび治療時間で治療する予約２プログラムで、高圧電位治療を行う場合の液晶画面と音声内容を示すフローチャートである。
【図１０】図９の治療プログラムの内容を示す図である。
【図１１】本発明電位治療器における操作装置を用いて、「おやすみ」を使用して低圧電位治療を行う場合の液晶画面と音声内容を示すフローチャートである。
【図１２】本発明電位治療器における操作装置を用いて、電子ペンを使用して高圧電位治療を行う場合の液晶画面と音声内容を示すフローチャートである。
【符号の説明】
【００７３】
１  電位治療器
２  前面パネル
３  液晶表示部
４  電源スイッチ
５  治療プログラム設定部
６  高圧電位設定スイッチ群
７  低圧電位設定スイッチ群
８  局部電位設定スイッチ群
９  温度調節ボリューム
１３ａ  自動プログラムスイッチ
１３ｂ  予約１プログラムスイッチ
１３ｃ  予約２プログラムスイッチ
【図１】
2006247082.tif 000003
【図２】
2006247082.tif 000004
【図３】
2006247082.tif 000005
【図４】
2006247082.tif 000006
【図５】
2006247082.tif 000007
【図６】
2006247082.tif 000008
【図７】
2006247082.tif 000009
【図８】
2006247082.tif 000010
【図９】
2006247082.tif 000011
【図１０】
2006247082.tif 000012
【図１１】
2006247082.tif 000013
【図１２】
2006247082.tif 000014